(57)【要約】【課題】媒体のタイトル管理及び再生方法とそれに適した媒体駆動器及び媒体を提供する。【解決手段】タイトルセット単位にデータが記録される第１領域と、媒体に対する記録完了以前に第１領域に記録されたタイトルセットのうち削除されたタイトルセットを再生するために使われる情報が記録される第２領域とを含む媒体である。【選択図】図２
2004253124.tif 000002
【特許請求の範囲】
【請求項１】
媒体において、
タイトルセット単位にデータが記録される第１領域と、
前記媒体に対する記録完了以前に前記第１領域に記録されたタイトルセットのうち、削除されたタイトルセットを再生するために使われる情報が記録される第２領域と
を含む媒体。
【請求項２】
前記第２領域は、前記媒体の空の空間を利用して設定されることを特徴とする請求項１に記載の媒体。
【請求項３】
前記第２領域に対するサーチ情報が、前記媒体に生成されるビデオ管理者（ＶＭＧ）領域に含まれることを特徴とする請求項１に記載の媒体。
【請求項４】
前記第２領域に対するサーチ情報は、前記ビデオ管理者領域のビデオ管理者情報（ＶＭＧＩ）の予備領域に記録されることを特徴とする請求項３に記載の媒体。
【請求項５】
前記予備領域に前記媒体に対する削除されたタイトルセットが存在するか否かを表すフラグ情報がさらに含まれることを特徴とする請求項４に記載の媒体。
【請求項６】
前記削除されたタイトルセットを再生できる情報は、削除されたタイトルセットに含まれたタイトルセット情報（ＶＴＳＩ）であることを特徴とする請求項１に記載の媒体。
【請求項７】
前記削除されたタイトルセットを再生できる情報は、削除されたタイトルの開始位置情報であることを特徴とする請求項１に記載の媒体。
【請求項８】
前記第２領域に、前記情報は、削除されたタイトルセットを再生するためのものであることを表す識別情報がさらに含まれることを特徴とする請求項１に記載の媒体。
【請求項９】
媒体において、
タイトルセット単位に第１データが記録される第１領域と、
前記媒体の記録完了動作が行われる以前に前記媒体から削除されたタイトルセットをサーチするために使われるサーチ情報を含む第２データが記録されるビデオ管理者（ＶＭＧ）領域と
を含む媒体。
【請求項１０】
前記サーチ情報は、前記ビデオ管理者領域のビデオ管理者情報（ＶＭＧＩ）の予備領域に記録されたことを特徴とする請求項９に記載の媒体。
【請求項１１】
前記予備領域に前記媒体に対して削除されたタイトルセットが存在するか否かを表すフラグ情報がさらに含まれることを特徴とする請求項１０に記載の媒体。
【請求項１２】
タイトルセット単位にデータが記録された媒体のタイトル管理方法において、
使用者が前記媒体から少なくとも一つのタイトルセットに対する削除を要求すれば、削除されるタイトルセットを再生できる情報を前記媒体の任意の領域に記録する段階と、
使用者が前記媒体の記録完了を要求すれば、前記領域に対するサーチ情報を含むビデオ管理者（ＶＭＧ）データを生成して、前記媒体に前記生成されたビデオ管理者データを記録する段階と
を含む媒体のタイトル管理方法。
【請求項１３】
前記領域は、前記媒体の空の空間を利用して設定されることを特徴とする請求項１２に記載の媒体のタイトル管理方法。
【請求項１４】
前記サーチ情報は、前記ビデオ管理者データのうちビデオ管理者情報（ＶＭＧＩ）の予備領域に記録されることを特徴とする請求項１２に記載の媒体のタイトル管理方法。
【請求項１５】
前記ビデオ管理者データは、前記媒体に対して削除されたタイトルセットが存在するか否かを表すフラグ情報がさらに含まれることを特徴とする請求項１２に記載の保存媒体のタイトル管理方法。
【請求項１６】
タイトルセット単位にデータが記録された媒体のタイトル管理方法において、
使用者が前記媒体に記録されたタイトルセットのうち少なくとも一つのタイトルセットに対する削除を要求すれば、前記削除されるタイトルセットを再生するための情報を前記媒体がローディングされている媒体駆動器に備わっているメモリに保存する段階と、
使用者が前記媒体に対する記録完了を要求すれば、前記メモリに保存されている前記情報を読み込んで前記媒体の任意の領域に記録する段階と、
前記情報に対するサーチ情報を含むビデオ管理者（ＶＭＧ）データを生成し、前記媒体に前記ビデオ管理者データを記録する段階と
を含む媒体のタイトル管理方法。
【請求項１７】
前記任意の領域は、前記媒体の空の空間を利用して設定されたことを特徴とする請求項１６に記載の媒体のタイトル管理方法。
【請求項１８】
前記サーチ情報は、前記ビデオ管理者データのビデオ管理者情報（ＶＭＧＩ）の予備領域に記録されることを特徴とする請求項１６に記載の媒体のタイトル管理方法。
【請求項１９】
タイトルセット単位にデータが記録され、削除されたタイトルセットを再生できる情報が記録された媒体のタイトル再生方法において、
前記媒体のビデオ管理者領域に記録されたデータに基づいて前記媒体に対して削除されたタイトルセットが存在するか否かを判断する段階と、
前記削除されたタイトルセットが存在すれば、前記削除されたタイトルセットの存在を使用者に通報する段階と、
前記使用者が削除されたタイトルセットに対する再生を要求すれば、前記情報に基づいて削除されたタイトルセットを再生する段階と
を含む媒体のタイトル再生方法。
【請求項２０】
タイトルセット単位にデータが記録された媒体を駆動できる駆動器において、
前記媒体にデータを記録し、前記媒体に記録されたデータをピックアップするピックアップ部と、
前記媒体に対する前記ピックアップ部の移動を制御するサーボ部と、
前記媒体から削除されるタイトルセットを再生できる情報を生成し、前記生成された情報が前記媒体の空の空間に記録されるように前記サーボ部を制御しつつ前記生成された情報を前記ピックアップ部に伝送するシステム制御部と
を含む媒体駆動器。
【請求項２１】
前記システム制御部は、前記媒体に対する記録完了動作期間の間に前記情報に対するサーチ情報を含むビデオ管理者データを生成して前記ピックアップ部に提供することを特徴とする請求項２０に記載の媒体駆動器。
【請求項２２】
前記システム制御部は、前記ビデオ管理者データのビデオ管理者情報の予備領域に前記サーチ情報が含まれるように前記ビデオ管理者データを生成することを特徴とする請求項２１に記載の媒体駆動器。
【請求項２３】
前記媒体駆動器は、
前記媒体に対して削除されたタイトルセットが存在するか否かを表す表示部をさらに含み、
前記システム制御部は、前記ビデオ管理者データに含まれている前記サーチ情報を利用して前記媒体に削除されたタイトルセットが存在するか否かを判断した結果に基づいて前記表示部を制御することを特徴とする請求項２１に記載の媒体駆動器。
【請求項２４】
タイトルセット単位にデータが記録された媒体を駆動できる駆動器において、
前記媒体にデータを記録し、前記媒体に記録されたデータをピックアップするピックアップ部と、
前記媒体に対する前記ピックアップ部の移動を制御するサーボ部と、
前記媒体から削除されたタイトルセットに対するサーチ情報を保存するメモリと、
使用者が前記媒体から任意のタイトルセットに対する削除を要求すれば、前記サーチ情報を前記メモリに保存し、前記媒体に対する記録完了動作が行われる時、前記メモリに保存されたサーチ情報が含まれたビデオ管理者データを生成して前記ピックアップ部に伝送するシステム制御部と
を含む媒体駆動器。
【発明の詳細な説明】
【技術分野】
【０００１】
本発明は媒体のタイトル管理及び再生に係り、特に、媒体で削除されたタイトルに対する管理及び再生方法とそれに適した媒体駆動器及び媒体に関する。
【背景技術】
【０００２】
ＩＳＯ規格集によれば、ＤＶＤ（Ｄｉｇｉｔａｌ Ｖｅｒｓａｔｉｌｅ Ｄｉｓｃ）系列の媒体は、図１に示されたようなデータ構造を有する。前記データ構造は、リードイン（Ｌｅａｄ Ｉｎ：ＬＩ）領域、ボリューム及びファイルシステム（ＶＯＬｕｍｅ／Ｆｉｌｅ Ｓｙｓｔｅｍ：ＶＯＬ／ＦＳ）領域、ビデオ管理者（Ｖｉｄｅｏ Ｍａｎａ Ｇｅｒ：ＶＭＧ）領域、ｎ個のビデオタイトルセット（Ｖｉｄｅｏ Ｔｉｔｌｅ Ｓｅｔ ＃１〜＃ｎ：ＶＴＳ＃１〜＃ｎ）領域、データが全く記録されていない空の空間、リードアウト（Ｌｅａｄ Ｏｕｔ：ＬＯ）領域で構成される。前記空の空間は、媒体の容量と記録されたＶＴＳの容量とによって存在しないこともある。
【０００３】
前記ＶＭＧは、前記ＶＴＳ＃１〜＃ｎに対するＴＯＣ（Ｔａｂｌｅ Ｏｆ Ｃｏｎｔｅｎｔｓ）領域であって、ＶＭＧＩ（ＶＭＧ Ｉｎｆｏｒｍａｔｉｏｎ）ファイル、ＶＭＧＭ＿ＶＯＢＳ（ＶＭＧ Ｍｅｎｕ＿Ｖｉｄｅｏ Ｏｂｊｅｃｔ Ｓｅｔ）ファイル、ＶＭＧＩ＿ＢＵＰ（ＶＭＧＩ＿Ｂａｃｋ ＵＰ）ファイルを含む。
【０００４】
前記ＶＭＧＩファイルは、制御データファイルであって、タイトルを再生するのに必要な静的な情報と使用者駆動を支援するための情報とを含む。これにより、ＶＭＧＩファイルにはＶＭＧＭ＿ＶＯＢＳファイルの開始アドレス（Ｓｔａｒｔ Ａｄｄｒｅｓｓ：ＳＡ）（ＶＭＧＭ＿ＶＯＢＳ＿ＳＡ）を保存しているＶＭＧＩ＿ＭＡＴ（ＶＭＧＩ Ｍａｎａｇｅｍｅｎｔ Ｔａｂｌｅ）及びＤＶＤに存在する全てのＶＴＳの数を知らせるＶＴＳ＿ＡＴＲＴ（ＶＴＳ Ａｔｔｒｉｂｕｔｅｔａｂｌｅ）が含まれている。
【０００５】
ＶＭＧＭ＿ＶＯＢＳファイルは、ＶＭＧＭに対するＶＯ（Ｖｉｄｅｏ Ｏｂｊｅｃｔ）の集合体であって、映像、音声、サブピクチャーのようなデータで構成される。ＶＭＧＩ＿ＢＵＰファイルは、ＶＭＧＩファイルに対するバックアップファイルである。
前記ＶＴＳは、タイトル集合体であって、ＩＳＯ規格集によれば、最大９９個まで設定されうる。したがって、前記ｎは、９９以下の整数である。前記ＶＴＳ＃１〜ＶＴＳ＃ｎ各々は、制御データであるＶＴＳＩ（ＶＴＳ Ｉｎｆｏｒｍａｔｉｏｎ）ファイル、メニューのためのＶＴＳＭ＿ＶＯＢＳ（ＶＴＳ Ｍｅｎｕ＿ＶＯＢＳ）ファイル、タイトルのためのＶＯＢのＶＴＳＴＴ（Ｖｉｄｅｏ Ｏｂｊｅｃｔ Ｓｅｔ ｆｏｒ Ｔｉｔｌｅ ｓｅｔ Ｔｉｔｌｅ）＿ＶＯＢＳファイル及びＶＳＴＩ＿ＢＵＰファイルを含む。
【０００６】
ＶＴＳＩファイルは、タイトルのための管理情報であって、ＶＴＳＭ＿ＶＯＢＳ＿ＳＡ、ＶＴＳＩ＿ＭＡＴ、ＶＴＳ＿ＰＴＴ＿ＳＲＰＴ（ＶＴＳ＿ＰＴＴ＿ＳｅａＲｃｈ Ｐｏｉｎｔｅｒ Ｔａｂｌｅ）などのデータを含む。ＶＴＳＭ＿ＶＯＢＳファイルは、ＶＴＳＭに対するＶＯの集合体であって、映像、音声、サブピクチャーのようなデータで構成される。ＶＴＳＴＴ＿ＶＯＢＳファイルは、ＶＴＳＭ＿ＶＯＢＳに保存されたデータに対するタイトルデータで構成される。ＶＳＴＩ＿ＢＵＰファイルは、ＶＳＴＩファイルに対するバックアップファイルである。
【０００７】
前記のようにＤＶＤ系列は、再生互換性のために最大９９個のタイトルを記録できる。したがって、９９個のタイトルが記録された媒体に図１に示されたような空の空間があって使用者が追加でデータを記録しようとすれば、既存に記録されたタイトルを削除しなければならない。
また、使用者は、記録完了動作を行う前に使用者インターフェースを通じて媒体に記録されているタイトルをいつでも削除できる。
【０００８】
もし、記録完了動作を行う前に媒体に記録された任意のタイトルに対する削除が要求されれば、媒体に対する記録完了動作を行う時、削除されたタイトルに対する情報を全く含まないＶＭＧとＦＳとが生成されて媒体に記録される。例えば、記録完了動作を行う前にＶＴＳ＃２とＶＴＳ＃３とに対する削除が要求されれば、保存媒体に対する記録完了動作を行う時、ＶＴＳ＃２とＶＴＳ＃３とに対する情報を全く含まないＶＭＧとＦＳとが生成されて媒体に記録される。したがって、使用者は、記録完了前に記録されたタイトル（例えば、ＶＴＳ＃２、ＶＴＳ＃３）を全く再生できないだけでなく、いかなるタイトルが削除されたのかも分からない。
【発明の開示】
【発明が解決しようとする課題】
【０００９】
本発明は前記問題を解決するために提案したものであって、媒体に対する記録完了後にも、記録過程で削除された媒体のタイトルを使用者が再生できるように媒体のタイトルを管理及び再生する方法と、それに適した媒体駆動器及び媒体を提供するのにその目的がある。
【課題を解決するための手段】
【００１０】
前記目的を達成するために本発明は、タイトルセット単位にデータが記録される第１領域と、媒体に対する記録完了以前に第１領域に記録されたタイトルセットのうち削除されたタイトルセットを再生するために使われる情報が記録される第２領域とを含む媒体を提供する。
前記目的を達成するために本発明は、タイトルセット単位に第１データが記録される第１領域と、媒体の記録完了動作が行われる以前に媒体から削除されたタイトルセットをサーチするために使われるサーチ情報を含む第２データが記録されるＶＭＧ領域とを含む媒体を提供する。
【００１１】
前記目的を達成するために本発明は、使用者が媒体から少なくとも一つのタイトルセットに対する削除を要求すれば、削除されるタイトルセットを再生できる情報を媒体の任意の領域に記録する段階と、使用者が媒体の記録完了を要求すれば、領域に対するサーチ情報を含むＶＭＧデータを生成して媒体に生成されたＶＭＧデータを記録する段階と、を含むタイトルセット単位にデータが記録された媒体のタイトル管理方法を提供する。
【００１２】
前記目的を達成するために本発明は、使用者が媒体に記録されたタイトルセットのうち少なくとも一つのタイトルセットに対する削除を要求すれば、削除されるタイトルセットを再生するための情報を媒体がローディングされている媒体駆動器に備わっているメモリに保存する段階と、使用者が媒体に対する記録完了を要求すれば、メモリに保存されている情報を読み込んで前記媒体の任意の領域に記録する段階と、情報に対するサーチ情報を含むＶＭＧデータを生成し、媒体にＶＭＧデータを記録する段階と、を含むタイトルセット単位にデータが記録された媒体のタイトル管理方法を提供する。
【００１３】
前記目的を達成するために本発明は、媒体のＶＭＧ領域に記録されたデータに基づいて媒体に対して削除されたタイトルセットが存在するか否かを判断する段階と、削除されたタイトルセットが存在すれば、削除されたタイトルセットの存在を使用者に通報する段階と、使用者が削除されたタイトルセットに対する再生を要求すれば、情報に基づいて削除されたタイトルセットを再生する段階と、を含む媒体のタイトル再生方法を提供する。
【００１４】
前記目的を達成するために本発明は、媒体にデータを記録し、媒体に記録されたデータをピックアップするピックアップ部と、媒体に対するピックアップ部の移動を制御するサーボ部と、媒体から削除されるタイトルセットを再生できる情報を生成し、生成された情報が媒体の空の空間に記録されるように前記サーボ部を制御しつつ生成された情報をピックアップ部に伝送するシステム制御部と、を含む媒体駆動器を提供する。
【００１５】
前記目的を達成するために本発明は、媒体にデータを記録し、媒体に記録されたデータをピックアップするピックアップ部と、媒体に対する前記ピックアップ部の移動を制御するサーボ部と、媒体から削除されたタイトルセットに対するサーチ情報を保存するメモリと、使用者が媒体から任意のタイトルセットに対する削除を要求すれば、サーチ情報をメモリに保存し、前記媒体に対する記録完了動作が行われる時、メモリに保存されたサーチ情報が含まれたＶＭＧデータを生成してピックアップ部に伝送するシステム制御部と、を含む媒体駆動器を提供する。
【発明の効果】
【００１６】
本発明によれば、記録完了前に削除されたＶＴＳに対する情報を媒体の空の空間及びＶＭＧＩの予備領域に記録するか、またはＶＭＧＩの予備領域だけに記録して管理することによって、記録完了後に使用者が所望する場合に削除されたＶＴＳをいつでも再生できる。
【発明を実施するための最良の形態】
【００１７】
以下、添付された図面を参照して本発明による実施形態を詳細に説明する。
図２は、本発明の一実施形態による媒体のデータ構造図である。２００は、媒体のボリューム構造のデータ構造であり、２１０は、ＶＭＧのデータ構造例であり、２２０は、ＶＭＧＩのデータ構造例である。
【００１８】
図２の２００を参照すれば、使用者がＶＴＳ ＃２とＶＴＳ ＃３との削除を要求すれば、削除が要求されたＶＴＳ ＃２とＶＴＳ ＃３とのＶＴＳＩ ＃２、ＶＴＳＩ ＃３が媒体の空の空間に記録される。このＶＴＳＩは、削除されたＶＴＳを再生するために使われる情報である。ＶＴＳＩ ＃２とＶＴＳＩ ＃３とは、ＶＴＳ ＃２とＶＴＳ ＃３とに記録されているＶＴＳＩと同じ内容を有する。
【００１９】
図２の２００に示されたＩＤは、媒体の空の空間に記録されたＶＴＳＩ ＃２とＶＴＳＩ ＃３とが削除されたＶＴＳ、例えば、ＶＴＳ＃２及びＶＴＳ＃３のＶＴＳＩであることを表す識別情報である。使用者がＶＴＳの削除を要求する度に前記削除されるＶＴＳのＶＴＳＩは、媒体の空の空間に記録されうる。しかし、記録完了が要求されるか、または媒体に対するオープンが要求される時、前記媒体に対する記録を完了するか、または媒体に対するオープン動作を行う前に削除されるＶＴＳのＶＴＳＩが媒体の空の空間に記録されうる。
【００２０】
ＶＴＳ ＃２とＶＴＳ ＃３とに対する削除が要求された媒体の記録完了動作が行われれば、ＶＭＧのＶＭＧＩは、図２の２２０に示されたようなデータ構造を有しうる。すなわち、ＶＭＧＩの予備領域が削除されたＶＴＳ、例えば、ＶＴＳ ＃２及びＶＴＳ ＃３のＶＴＳＩが記録された領域に対する位置情報を記録するために使われる。図２の場合に前記位置情報は、図２の２００でＩＤが記録された領域のＳＡである。したがって、ＶＭＧＩの予備領域に記録されている位置情報を利用して媒体に記録されているＩＤを探すことができる。
【００２１】
前記記録完了動作が行われる時、前記位置情報と媒体とで削除されたＶＴＳの存在如何を表すフラグ情報がＶＧＭのＶＭＧＩの予備領域に記録されうる。もし、削除ＶＴＳが媒体に存在する時に前記フラグ情報が‘１’に設定されれば、前記削除されたＶＴＳが媒体に存在しない時に前記フラグ情報は‘０’に設定される。
図３は、本発明の他の実施形態による媒体のデータ構造図である。図３の３００は、媒体のボリューム構造のデータ構造であり、図３の３１０は、ＶＭＧのデータ構造であり、図３の３２０は、ＶＭＧＩのデータ構造である。
【００２２】
図３の３００を参照すれば、前記ＶＴＳ ＃２とＶＴＳ ＃３とのＳＡであるＶＴＳ２＿ＳＡ、ＶＴＳ３＿ＳＡが媒体の空の空間に記録される。前記ＳＡが記録される空の空間は、図２の２００のＶＴＳＩ ＃２及びＶＴＳＩ ＃３のように媒体の空の空間になりうる。前記ＳＡは、図２に示されたように使用者がＶＴＳの削除を要求する度に媒体に記録されるか、または使用者が記録完了を要求するか、媒体に対するオープンを要求する時に媒体に記録されうる。前記ＳＡは、削除されたＶＴＳを再生するために使われる情報である。
【００２３】
また、前記削除されるＶＴＳのＳＡだけでなく、削除されるＶＴＳの終了アドレスのように削除されたＶＴＳのサーチ情報が媒体の空の空間に記録されうる。
媒体のＶＭＧは、図３の３３０に示されたようなデータ構造を有しうる。すなわち、ＶＭＧのＶＭＧＩの予備領域に削除されたＶＴＳの存在如何を表すフラグ情報と削除されたＶＴＳのサーチ情報が記録された領域に対する位置情報とが含まれる。前記ＶＭＧＩの予備領域に記録されている位置情報は、図３の３００のＶＴＳ２＿ＳＡとＶＴＳ３＿ＳＡとのＳＡである。したがって、前記ＶＭＧＩの予備領域に記録された位置情報を利用して図３の３００に示されたような媒体に記録されているＶＴＳ２＿ＳＡ及びＶＴＳ３＿ＳＡをサーチできる。また、前記削除されたＶＴＳ存在如何のフラグ情報は除いて、前記削除されたＶＴＳのＶＴＳｎ＿ＳＡをサーチできる位置情報だけＶＭＧＩの予備領域に記録されるようにＶＭＧを生成できる。
【００２４】
図４は、本発明のさらに他の実施形態による保存媒体のデータ構造である。図４の４００は、保存媒体のボリューム構造のデータ構造であり、図４の４１０は、ＶＭＧのデータ構造であり、図４の４２０は、ＶＭＧＩのデータ構造である。
削除されたＶＴＳに対する位置情報は、図４の４２０に示されたようにＶＭＧＩの予備領域に記録されている。前記削除されたＶＴＳに対する位置情報は、削除されたＶＴＳを再生するために使われる情報である。図４の４２０での位置情報は、図３の３００の媒体の空の空間に記録されたサーチ情報と同じ情報でありうる。したがって、ＶＭＧＩの予備領域に記録された位置情報を利用して削除されたＶＴＳ ＃２及びＶＴＳ ＃３の開始位置を媒体でサーチできる。また、図２及び図３のようにＶＭＧＩの予備領域に前記位置情報と共に削除されたＶＴＳの存在如何を表すフラグ情報が含まれるようにＶＭＧを生成できる。
【００２５】
図５は、本発明による媒体駆動器の機能ブロック図である。図５を参照すれば、媒体駆動器は、スピンドルモータ５０１、サーボ部５０２、媒体５０３、フォーマッター５０４、システム制御部５０５、変調器５０６、ピックアップ部５０７、復調部５０８、メモリ５０９及び表示部５１０で構成される。
スピンドルモータ５０１は、サーボ部５０２から提供されるスピンドル制御信号によってあらかじめ設定された回転速度にローディングされた媒体５０３を回転させる。媒体５０３は、ＤＶＤ系列のディスクである。
【００２６】
フォーマッター５０４は、媒体５０３のデータ領域に記録される符号化されたビデオ情報と符号化されたオーディオ情報とが入力されれば、システム制御部５０５から提供される制御信号によって媒体５０３に記録されるビデオ情報とオーディオ情報とがＶＴＳ単位に図２ないし図４に示されたように記録されるようにフォーマットして出力する。
変調器５０６は、フォーマッター５０４から出力されるフォーマットされた信号を事前に設定された変調方式によって変調して出力する。前記変調方式は、ＥＦＭ（Ｅｉｇｈｔ ｔｏ Ｆｏｕｒｔｅｅｎ Ｍｏｄｕｌａｔｉｏｎ）でありうる。
【００２７】
ピックアップ部５０７は、変調器５０６の出力によって媒体５０３に光ビームを照射して媒体５０３に図２及び図４に示されたようにＶＴＳ単位にビデオ情報とオーディオ情報とを媒体に記録する。
サーボ部５０２は、媒体５０３に対するピックアップ部５０７の移動を、従来のＤＶＤ駆動器と同じ方式で制御する。
【００２８】
このようにＶＴＳ単位に媒体５０３にデータが記録中であるか、またはｎ個のＶＴＳが全て記録された後、使用者から任意のＶＴＳに対する削除が要求されれば、システム制御部５０５は、削除が要求されたＶＴＳのＶＴＳＩを検出するか、または削除されるＶＴＳのサーチ情報を生成して変調器５０６に出力しつつサーボ部５０２を制御してピックアップ部５０７を媒体５０３の空の空間に移動させる。変調器５０７は、システム制御部５０５から生成された前記ＶＴＳＩまたは前記生成されたサーチ情報を変調してピックアップ部５０７に伝送する。ピックアップ部５０７は、媒体５０３の前記空の空間に前記ＶＴＳＩまたはサーチ情報が記録されるように光ビームを照射する。
【００２９】
使用者が複数のＶＴＳの削除を要求すれば、使用者がＶＴＳの削除を要求する度にシステム制御部５０５は、ピックアップ部５０７を通じて媒体５０３の空の空間にあらかじめ記録された削除されたＶＴＳに対するＶＴＳＩまたはサーチ情報を読み込んで復調部５０８によって処理されたＶＴＳＩまたはサーチ情報を受信する。
【００３０】
復調部５０８は、ピックアップ部５０７から伝送される媒体５０３からピックアップした信号の高周波信号を元来の形態に復元し、復元された信号をシステム制御部５０５に伝送する。システム制御部５０５は、復調部５０８から伝送された復元されたデータと現在削除が要求されたＶＴＳに対して検出されたＶＴＳＩまたは生成されたサーチ情報とが共に媒体の空の空間に記録されるように変調器５０６に伝送する。この時、システム制御部５０５は、図２の２００に示されたようにＩＤが共に記録されるように削除されたＶＴＳに対する検出されたＶＴＳＩまたは生成されたサーチ情報を生成できる。
【００３１】
また、使用者がＶＴＳの削除を要求すれば、システム制御部５０５は、検出されたＶＴＳＩまたは生成されたサーチ情報をメモリ５０９に保存し、使用者から記録完了が要求されるか、または媒体５０７に対するオープンが要求されれば、メモリ５０９に保存された情報を読み込んで媒体５０３の空の空間に記録させた後、記録完了を行うか、または保存媒体５０３をオープンできる。使用者が媒体５０３のオープン要求時には媒体５０３に対する記録完了が行われていない状態であるので、媒体５０３に対するＶＭＧは生成されない。
【００３２】
記録完了動作を行う時、システム制御部５０５は、ＶＭＧとＦＳとを生成する。ＶＭＧは、図２の２２０、図３の３２０及び図４の４２０に示されたように、ＶＭＧＩの予備領域に削除されたＶＴＳに対する位置情報が含まれるように生成される。図４の４２０のようなフォーマットが選択される場合は、媒体５０３の空の空間に削除されたＶＴＳに関連した位置情報が全く記録されない。生成されたＶＭＧとＦＳとは、変調器５０６とピックアップ部５０７とを通じて媒体５０３に記録される。
【００３３】
媒体５０３を再生する時、使用者が削除されたＶＴＳに対する再生を要求すれば、システム制御部５０５は、ピックアップ部５０７を通じてピックアップされたＶＭＧのＶＭＧＩの予備領域に記録されている削除されたＶＴＳに対する位置情報またはフラグ情報に基づいて媒体５０３に削除されたＶＴＳの存在如何を判断する。もし、ＶＭＧＩ領域に記録されている前記削除されたＶＴＳに対する位置情報またはフラグが０であれば、システム制御部５０５は、削除されたＶＴＳが媒体５０３に存在しないと判断する。もし、ＶＭＧＩ領域に記録されている前記削除されたＶＴＳに対する位置情報またはフラグが０でなければ、システム制御部５０５は、削除されたＶＴＳ情報が存在すると判断できる。
【００３４】
削除されたＶＴＳが媒体５０３に存在すると判断されれば、システム制御部５０５は、表示部５１０に媒体５０３に削除されたＶＴＳが存在することを表示して使用者に削除されたＶＴＳの存在を通報する。削除されたＶＴＳが存在しなければ、システム制御部５０５は、表示部５１０にメッセージを全く表示しないか、削除されたＶＴＳが存在しないことを表示して使用者に削除されたＶＴＳが存在しないことを通報する。
【００３５】
その後、システム制御部５０５は、削除されたＶＴＳのサーチ情報が記録された媒体５０３の領域に対する位置情報を利用して削除されたＶＴＳのサーチ情報が記録された領域をサーチする。前記削除されたＶＴＳのサーチ情報を探せば、システム制御部５０５は、ピックアップ部５０７を通じて削除されたＶＴＳのサーチ情報をピックアップし、ピックアップされたサーチ情報に基づいて媒体５０３に記録されている削除されたＶＴＳ情報が記録されている位置をサーチして媒体５０３の再生を制御する。
【００３６】
システム制御部５０５は、ＶＭＧＩに削除されたＶＴＳのサーチ情報が記録されている場合に、ＶＭＧＩに含まれているサーチ情報に基づいて媒体５０３に記録されている削除されたＶＴＳが記録された領域をサーチする。
もし、媒体５０３に削除されたＶＴＳが存在しない場合に、システム制御部５０５は、媒体５０３にデータを再生する。
【００３７】
図６は、本発明の一実施形態による媒体のタイトル管理方法に対するフローチャートである。
第６０１段階で、システム制御部５０５は、受信されるデータが媒体５０３に記録されるようにサーボ部５０２、フォーマッター５０４及び変調器５０６を制御する。
第６０２段階で、システム制御部５０５は、一つのＶＴＳに該当されるデータ記録が完了したか否かをモニタリングする。
【００３８】
第６０２段階で、一つのＶＴＳに該当されるデータ記録が完了したと判断されれば、第６０３段階でシステム制御部５０５は、前記ＶＴＳのＶＴＳＩを生成して記録する。
第６０４段階で、システム制御部５０５は、使用者が媒体５０３に記録されたＶＴＳ削除を要求したか否かをチェックする。
第６０４段階で、使用者がＶＴＳ削除を要求すれば、システム制御部５０５は、第６０５段階で削除されるＶＴＳのＶＴＳＩを媒体５０３の空の空間に図５のような方式で記録する。
【００３９】
次いで、第６０６段階で、使用者が記録完了が要求したか否かを判断する。第６０４段階で使用者がＶＴＳ削除を要求しなかったと判断されれば、第６０６段階で、記録完了が要求されたか否かを判断する。
第６０６段階で記録完了が要求されなかったと判断されれば、システム制御部５０５は、第６０１段階にリターンされる。
【００４０】
しかし、第６０６段階で使用者が記録完了が要求したと判断されれば、システム制御部５０５は、第６０７段階で、媒体５０３に削除されたＶＴＳが存在するか否かを判断する。この時、システム制御部５０５は、使用者によってタイトル削除が要求されたことがあるか無いかをチェックできる。第６０７段階で、削除されたＶＴＳが存在すると判断されれば、システム制御部５０５は、第６０８段階で、ＶＭＧＩの予備領域に削除されたＶＴＳのＶＴＳＩが記録された保存媒体５０３の空の空間の位置情報が含まれるようにＶＭＧ及びＦＳを生成し、生成されたＶＭＧ及びＦＳを媒体５０３に記録する記録完了動作を行う。前記削除されたＶＴＳのＶＴＳＩが記録された媒体５０３の空の空間の位置情報は、図２の２２０に示されたようなフォーマットにＶＭＧＩの予備領域に含まれうる。記録完了動作が完了すれば、システム制御部５０５は作業を終了する。
【００４１】
第６０７段階で保存媒体５０３に対して削除されたＶＴＳが存在しなければ、第６０９段階でシステム制御部５０５は、ＶＭＧＩの予備領域に前記位置情報が記録されていないＶＭＧ及びＦＳを生成し、生成されたＶＭＧ及びＦＳを媒体５０３に記録する記録完了動作を行う。媒体５０３の記録完了動作が完了すれば、システム制御部５０５は作業を終了する。
【００４２】
図６は、削除されたＶＴＳのＶＴＳＩを媒体５０３の空の空間に記録する。しかし、前記ＶＴＳＩの代わりに削除されたＶＴＳに対するサーチ情報を前記空の空間に記録できる。また、ＶＭＧを生成する時、ＶＭＧＩの予備領域に前記サーチ情報だけでなく削除されたＶＴＳの存在如何を表示するフラグ情報も共に含ませうる。
【００４３】
図７は、本発明の他の実施形態による媒体のタイトル管理方法に対するフローチャートである。
第７０１段階で、システム制御部５０５は、受信されるデータが媒体５０３に記録されるようにサーボ部５０２、フォーマッター５０４及び変調器５０６を制御する。
第７０２段階で、システム制御部５０５は、一つのＶＴＳに該当されるデータ記録が完了したか否かを判断する。
【００４４】
一つのＶＴＳに該当されるデータ記録が完了したと判断されれば、第７０３段階でシステム制御部５０５は、現在記録されたＶＴＳのＶＴＳＩを生成して記録する。
第７０４段階で、システム制御部５０５は、使用者がＶＴＳ削除を要求したか否かをチェックする。この時、削除されうるＶＴＳは、媒体５０３に記録されているものである。
もし、使用者がＶＴＳ削除を要求したと判断されれば、第７０５段階で、システム制御部５０５は、削除が要求されたＶＴＳのＶＴＳＩをメモリ５０９に保存する。
【００４５】
次いで、第７０６段階でシステム制御部５０５は、使用者が記録完了を要求したか否かを判断する。第７０４段階で、使用者がＶＴＳ削除を要求していないと判断されれば、システム制御部５０５は前記第７０６段階を処理する。
第７０６段階で、使用者が媒体５０３の記録完了を要求していないと判断されれば、システム制御部５０５は第７０１段階でリターンされる。
【００４６】
しかし、第７０６段階で、使用者が媒体５０３の記録完了を要求したと判断されれば、システム制御部５０５は、第７０７段階で、媒体５０３に削除されたＶＴＳが存在するか否かを判断する。この時、システム制御部５０５は、使用者によってＶＴＳ削除が要求されたことがあるか無いかをチェックできる。媒体５０３に対して削除されたＶＴＳが存在すると判断されれば、第７０８段階で、システム制御部５０５は、メモリ５０９に保存された削除が要求されたＶＴＳのＶＴＳＩを読み込んで媒体５０３の空の空間に記録する。
【００４７】
次いで、第７０９段階でシステム制御部５０５は、ＶＭＧＩの予備領域に削除されたＶＴＳのＶＴＳＩが記録された媒体５０３の領域に対する位置情報が含まれるようにＶＭＧ及びＦＳを生成し、生成されたＶＭＧ及びＦＳを媒体５０３に記録する。前記削除されたＶＴＳのＶＴＳＩが記録された媒体５０３の領域の位置情報は、図２の２２０に示されたようなフォーマットにＶＭＧＩの予備領域に含まれうる。媒体５０５の記録完了動作が完了すれば、システム制御部５０５は作業を終了する。
【００４８】
もし、媒体５０３に対して削除されたＶＴＳが存在しなければ、第７１０段階でシステム制御部５０５は、ＶＭＧＩに前記ＶＴＳＩに対する前記位置情報が含まれないようにＶＭＧ及びＦＳを生成する。次いで、生成されたＶＭＧ及びＦＳを媒体５０３に記録する。媒体５０３の記録完了動作が完了すれば、システム制御部５０５は作業を終了する。
図７で削除が要求されたＶＴＳのＶＴＳＩは、媒体５０３の空の空間に記録される。しかし、前記ＶＴＳＩの代わりに削除されたＶＴＳのサーチ情報を前記空の空間に記録できる。このような場合に、メモリ５０９に削除されたＶＴＳのサーチ情報が保存される。また、ＶＭＧが生成される時、ＶＭＧＩの予備領域に前記サーチ情報だけでなく削除されたＶＴＳの存在如何を表示するフラグ程度が含まれうる。
【００４９】
図６及び図７において、削除されたＶＴＳに対する情報は、媒体５０３の空の空間に保存される。しかし、図４に示されたように、ＶＭＧＩの予備領域にだけ削除されたＶＴＳの位置情報が記録されうる。このような場合に、使用者がＶＴＳの削除を要求すれば、前記ＶＴＳの位置情報をメモリ５０９に保存し、ＶＭＧＩの予備領域にメモリ５０９に保存された前記位置情報が記録されるようにＶＭＧが生成される。
また、使用者が複数個のＶＴＳ削除を要求すれば、使用者がＶＴＳ削除を要求する度に図６の第６０４段階及び第６０５段階または図７の第７０４段階及び７０５段階が反復されうる。
【００５０】
図８は、本発明による媒体のタイトル再生方法のフローチャートである。
媒体５０３がドライブにロードされれば、第８０１段階で媒体５０３のＶＭＧＩの予備領域に記録されている削除されたＶＴＳに対する情報を読む。前記情報は、削除されたＶＴＳのサーチ情報または削除されたＶＴＳのＶＴＳＩまたはサーチ情報が記録されている媒体５０３の位置情報であるか、または前記位置情報とフラグ情報とも含みうる。また、もし、ＶＭＧＩの予備領域に削除されたＶＴＳに対するＶＴＳＩまたはサーチ情報が記録されれば、ＶＭＧＩの予備領域から読み込まれたＶＴＳに対する情報は、削除されたＶＴＳのＶＴＳＩまたは位置情報である。
【００５１】
第８０２段階でシステム制御部５０５は、前記ＶＭＧＩの予備領域から読み込んだ情報を分析して媒体５０３に削除されたＶＴＳが存在するか否かを判断する。もし前記情報が‘０’であれば、媒体５０３に対して削除されたＶＴＳが存在しないと判断する。もし前記情報が‘０’でなければ、媒体５０３に対して削除されたＶＴＳが存在すると判断する。
もし媒体５０３に対して削除されたＶＴＳが存在すれば、第８０３段階でシステム制御部５０５は、削除されたＶＴＳの存在を使用者に通報するために表示部５１０にメッセージを表示できる。
【００５２】
第８０４段階で、使用者が削除されたＶＴＳの再生を要求したか否かを判断する。
もし使用者が削除されたＶＴＳの再生を要求したら、システム制御部５０５は、第８０５段階で、削除されたＶＴＳのデータを正常的に再生する。すなわち、システム制御部５０５は、ＶＭＧＩの予備領域に記録されている位置情報に基づいてＶＴＳに対する情報が記録された媒体５０３の領域にピックアップ部５０７を移動させ、前記領域に記録されている削除されたＶＴＳに対するＶＴＳＩまたは位置情報をピックアップする。そして、システム制御部５０５は、ピックアップされた前記ＶＴＳＩまたは位置情報に基づいて削除されたＶＴＳが記録された開始位置をサーチする。削除されたＶＴＳの開始位置がサーチされれば、削除されたＶＴＳに記録されたデータはピックアップされ、復調部５０８によって処理された後に再生される。
【００５３】
この時、削除されたＶＴＳに対する情報がＶＭＧＩの予備領域にだけ記録されている場合に、ＶＭＧＩの予備領域に記録されている情報に基づいて媒体５０３で削除されたＶＴＳが記録された領域の開始位置をサーチし、削除されたＶＴＳが再生される。
第８０６段階で、使用者が削除されたＶＴＳ以外のＶＴＳに対する定常再生を要求したか否かを判断する。もし使用者が削除されたＶＴＳ以外の前記ＶＴＳに対する定常再生を要求しなかったら、システム制御部５０５は、媒体５０３に対する再生を終了する。しかし、もし使用者が削除されたＶＴＳ以外の他のＶＴＳに対する定常再生を要求したら、第８０７段階で、保存媒体５０３に記録されている削除されていないＶＴＳが正常的に再生される。
【００５４】
一方、媒体５０３に対して削除されたＶＴＳが存在しないか、または第８０４段階で削除されたＶＴＳに対する再生が要求されなければ、第８０７段階で削除されたＶＴＳ以外のＶＴＳが定常的に再生される。
第８０８段階で、使用者が再生終了を要求すれば、システム制御部５０５は、媒体５０３の再生を終了する。しかし、使用者が再生終了を要求しなければ、システム制御部５０５は、８０７段階にリターンされて媒体５０３に対する再生を行い続ける。
本発明は詳述した実施形態に限定されず、本発明の思想内で当業者による変形が可能である。したがって、本発明で権利を請求する範囲は、詳細な説明の範囲内によって決まることではなく、特許請求の範囲によって決定される。
【産業上の利用可能性】
【００５５】
本発明はＤＶＤ系列の媒体を駆動できる駆動器において、媒体のタイトル再生技術に利用可能である。
【図面の簡単な説明】
【００５６】
【図１】従来ＤＶＤのデータ構造図である。
【図２】本発明の一実施形態による媒体のデータ構造図である。
【図３】本発明の他の実施形態による媒体のデータ構造図である。
【図４】本発明のさらに他の実施形態による媒体のデータ構造図である。
【図５】本発明による媒体駆動器の機能ブロック図である。
【図６】本発明の一実施形態による媒体のタイトル管理方法に対するフローチャートである。
【図７】本発明の他の実施形態による媒体のタイトル管理方法に対するフローチャートである。
【図８】本発明による媒体のタイトル再生方法のフローチャートである。
【符号の説明】
【００５７】
２００…媒体ボリューム構造のデータ構造
２１０…ＶＭＧのデータ構造
２２０…ＶＭＧＩのデータ構造
【図１】
2004253124.tif 000003
【図２】
2004253124.tif 000004
【図３】
2004253124.tif 000005
【図４】
2004253124.tif 000006
【図５】
2004253124.tif 000007
【図６】
2004253124.tif 000008
【図７】
2004253124.tif 000009
【図８】
2004253124.tif 000010